(57)【要約】【課題】載置される物品に応じた好適な演出を提示する。【解決手段】演出提示装置は、物品を載置可能に構成された載置部を備えた演出提示装置であって、載置部に物品が載置されたことを検出し、該物品が有する物品情報を取得する第１の取得手段と、載置部に載置されている物品に対応する演出を提示する提示手段と、第１の取得手段により取得された、載置されている物品に係る物品情報に基づいて、提示手段に提示させる演出を制御する制御手段と、を備える。【選択図】図１
2020058632.tif 000002
【特許請求の範囲】
【請求項１】
物品を載置可能に構成された載置部を備えた演出提示装置であって、
前記載置部に物品が載置されたことを検出し、該物品が有する物品情報を取得する第１の取得手段と、
前記載置部に載置されている物品に対応する演出を提示する提示手段と、
前記第１の取得手段により取得された、前記載置されている物品に係る前記物品情報に基づいて、前記提示手段に提示させる演出を制御する制御手段と、
を備える演出提示装置。
【請求項２】
前記制御手段は、前記載置されている物品の前記載置部における載置位置に応じて、前記提示手段に提示させる演出を制御する請求項１に記載の演出提示装置。
【請求項３】
前記載置部は、複数の物品を載置可能に構成され、
前記制御手段は、複数の前記載置されている物品の組み合わせに基づいて、前記提示手段に提示させる演出を制御する
請求項１または２に記載の演出提示装置。
【請求項４】
前記物品情報は、該物品情報を有する物品に対応付けられた演出対象要素を特定する要素情報を含み、
前記制御手段は、前記載置されている物品に係る前記要素情報に基づいて、前記提示手段に提示させる演出を制御する
請求項１乃至３のいずれか１項に記載の演出提示装置。
【請求項５】
操作入力装置と情報を送受信可能に構成された通信手段と、
前記操作入力装置においてなされた、提示する演出に係る操作を示す操作情報を、前記通信手段を介して該操作入力装置から取得する第２の取得手段と、をさらに備え、
前記制御手段は、前記載置されている物品に係る前記物品情報に加え、前記第２の取得手段により取得された前記操作情報に基づいて、前記提示手段に提示させる演出を制御する
請求項１乃至４のいずれか１項に記載の演出提示装置。
【請求項６】
前記物品情報は、該物品情報を有する物品に対応付けられた楽曲を示す楽曲情報を含み、
前記制御手段は、前記載置されている物品に係る前記楽曲情報に基づいて、前記提示手段に提示させる演出を制御する
請求項５に記載の演出提示装置。
【請求項７】
前記提示手段は、楽曲を再生する再生手段を含み、
前記制御手段は、前記第２の取得手段により取得された前記操作情報に基づいて、前記載置されている物品に係る前記楽曲情報によって示される楽曲を、前記再生手段に再生させる順序を決定する
請求項６に記載の演出提示装置。
【請求項８】
前記第２の取得手段は、前記提示手段による演出の提示前及び提示中において、前記操作入力装置から前記操作情報を取得可能に構成され、
前記制御手段は、前記第２の取得手段により前記操作情報が取得されたことに応じて、前記提示手段に提示させる演出を制御する
請求項５乃至７のいずれか１項に記載の演出提示装置。
【請求項９】
前記操作入力装置は、種別が異なる第１の操作入力装置と第２の操作入力装置とを含み、
前記制御手段は、前記提示手段による演出の提示前は、前記第１の操作入力装置から取得された前記操作情報に基づいて前記提示手段に提示させる演出を制御し、該演出の提示中は、前記第２の操作入力装置から取得された前記操作情報に基づいて前記提示手段に提示させる演出を制御する
請求項８に記載の演出提示装置。
【請求項１０】
前記第２の操作入力装置は、演出対象要素に応じた状態を設定可能に構成され、
前記制御手段は、前記提示手段による演出の提示中に前記操作情報が取得された前記第２の操作入力装置の状態が、前記載置されている物品と対応する演出対象要素に応じた状態にされているか否かによって、前記提示手段に提示させる演出を異ならせる
請求項９に記載の演出提示装置。
【請求項１１】
前記制御手段は、提示する演出に係る構成の完了後、前記第２の操作入力装置から前記操作情報が取得されたことを条件として、該演出の提示を前記提示手段に開始させる請求項９または１０に記載の演出提示装置。
【請求項１２】
前記提示手段による演出の提示について、前記載置されている物品に係る前記物品情報と前記第２の取得手段により取得された前記操作情報に基づいて、少なくとも一部の提示内容が構成された演出を提示する第１のモードと、前記載置されている物品に係る前記物品情報に基づくが、前記第２の取得手段により取得された前記操作情報に基づかずに、前記少なくとも一部の提示内容が構成された演出を提示する第２のモードと、のいずれかを選択する選択手段をさらに備え、
前記制御手段は、前記選択手段により選択されたモードの演出を行うよう、前記提示手段を制御する請求項５乃至１１のいずれか１項に記載の演出提示装置。
【請求項１３】
物品の各々には、載置用の向きが定められており、
前記載置部に載置されている物品が、前記載置用の向きで載置されているか否かを検出する検出手段をさらに備え、
前記制御手段は、前記載置部に載置されている物品が前記載置用の向きで載置されていることを条件として、前記提示手段に演出を提示させる
請求項１乃至１２のいずれか１項に記載の演出提示装置。
【請求項１４】
前記載置部は、第１の載置部と第２の載置部とを含み、
前記第１の載置部に載置可能な物品数は、前記第２の載置部に載置可能な物品数より少ない
請求項１乃至１３のいずれか１項に記載の演出提示装置。
【請求項１５】
前記第１の載置部と前記第２の載置部は、前記載置部において、物品を載置可能な同一平面を形成する請求項１４に記載の演出提示装置。
【請求項１６】
前記第１の取得手段は、前記載置されている物品から近接無線通信により前記物品情報を取得する請求項１乃至１５のいずれか１項に記載の演出提示装置。
【請求項１７】
前記提示手段は、音声出力による演出を提示する第１の提示手段と、照明による演出を提示する第２の提示手段と、を含む請求項１乃至１６のいずれか１項に記載の演出提示装置。
【請求項１８】
前記第１の提示手段は、前記載置部上に定められた複数の位置のうちのいずれかに設置可能に構成され、
前記第２の提示手段は、前記載置されている物品の天面よりも高い位置、及び前記載置されている物品を下部から照明する位置に設置可能に構成されている
請求項１７に記載の演出提示装置。
【請求項１９】
コンピュータを、請求項１乃至１８のいずれか１項に記載の演出提示装置の各手段として機能させるためのプログラム。
【請求項２０】
物品と、前記物品を載置可能に構成された載置部を備えた演出提示装置と、前記演出提示装置についての操作入力を受け付ける第１の操作入力装置及び第２の操作入力装置と、から構成される演出提示システムであって、
前記物品は、各々異なる形態を有する複数種類のフィギュアを含み、
前記演出提示装置は、
前記載置部に物品が載置されたことを検出し、該物品が有する物品情報を取得する第１の取得手段と、
前記載置部に載置されている物品に対応する演出を提示する提示手段と、
前記第１の操作入力装置及び前記第２の操作入力装置と情報を送受信可能に構成された通信手段と、
前記第１の操作入力装置及び前記第２の操作入力装置においてなされた、提示する演出に係る操作を示す操作情報を、前記通信手段を介して該操作入力装置から取得する第２の取得手段と、
前記第１の取得手段により取得された、前記載置されている物品に係る前記物品情報と前記第２の取得手段により取得された前記操作情報とに基づいて、前記提示手段に提示させる演出を制御する制御手段と、
を備える演出提示システム。
【請求項２１】
前記第１の操作入力装置は、表示手段を備え、
前記表示手段は、
前記載置部に物品が載置されていることを条件として、該物品と対応する情報を表示し、
前記載置部に載置されていた物品が取り除かれたことを条件として、該物品と対応する情報を非表示とする
請求項２０に記載の演出提示システム。
【請求項２２】
前記第２の操作入力装置は、
前記第２の操作入力装置について行われた所定の振動操作を検出する検出手段と、
前記検出手段により検出された前記所定の振動操作を前記操作情報として前記演出提示装置に送信する送信手段と、
を備える請求項２０または２１に記載の演出提示システム。
【発明の詳細な説明】
【技術分野】
【０００１】
本発明は演出提示装置、プログラム、演出提示システムに関し、特に物品の配置態様に応じて動的に演出を異ならせて提示する技術に関する。
【背景技術】
【０００２】
楽曲にあわせてフィギュア等の玩具が歌っているような演出を提示する玩具制御システムがある（特許文献１）。該玩具制御システムでは、フィギュアの台座に内蔵された再生装置に再生させる、主旋律の音声データとその再生タイミングとを定義した再生定義情報に基づいて、外部の無線通信端末から再生指示を各フィギュアに送信することで、無線通信装置において再生される楽曲（伴奏）に合わせて、フィギュアが歌っているような演出を実現している。
【先行技術文献】
【特許文献】
【０００３】
【特許文献１】特開２０１６−２２１１５２号公報
【発明の概要】
【発明が解決しようとする課題】
【０００４】
ところで、フィギュア等の主として観賞用途に用いられるような物品は、特定のキャラクタに対する愛着度や他のフィギュアとの関係に応じて、いずれのフィギュアを目立たせるか等、その配置態様にユーザの好みが現れ得るものである。しかしながら、特許文献１の玩具制御システムでは、無線通信端末と通信可能な範囲に配置されるフィギュアの組み合わせやその配置態様等を考慮せず、予め構成された再生定義情報のみに基づいて演出を提示するものであるため、ユーザの所望する演出が提示されない可能性があった。
【０００５】
本発明は、載置される物品に応じた好適な演出を提示する演出提示装置、プログラム、演出提示システムを提供することを目的とする。
【課題を解決するための手段】
【０００６】
本発明の演出提示装置は、物品を載置可能に構成された載置部を備えた演出提示装置であって、載置部に物品が載置されたことを検出し、該物品が有する物品情報を取得する第１の取得手段と、載置部に載置されている物品に対応する演出を提示する提示手段と、第１の取得手段により取得された、載置されている物品に係る物品情報に基づいて、提示手段に提示させる演出を制御する制御手段と、を備える。
【発明の効果】
【０００７】
このような構成により本発明によれば、載置される物品に応じた好適な演出を提示することが可能となる。
【図面の簡単な説明】
【０００８】
【図１】本発明の実施形態及び変形例に係る演出提示システムの構成例を示した図
【図２】本発明の実施形態及び変形例に係るフィギュア４００を例示した図
【図３】本発明の実施形態及び変形例に係る小型舞台装置１００のステージ１２０を説明するための図
【図４】本発明の実施形態及び変形例に係る小型舞台装置１００の機能構成を示したブロック図
【図５】本発明の実施形態１に係る小型舞台装置１００で実行される演出制御処理を例示したフローチャート
【図６】本発明の実施形態２、３及び変形例２に係るペンライト２００の機能構成を示したブロック図
【図７】本発明の実施形態２に係る小型舞台装置１００で実行される演出制御処理を例示したフローチャート
【図８】本発明の実施形態３に係るフィギュア４００の機能構成を示したブロック図
【図９】本発明の実施形態及び変形例に係る演出提示システムで用いられる各種情報のデータ構成を例示した図
【発明を実施するための形態】
【０００９】
［実施形態１］
以下、本発明の例示的な実施形態について、図面を参照して詳細に説明する。なお、以下に説明する一実施形態は、演出提示装置の一例としての、ステージに載置されているフィギュアに応じた演出を提示する小型舞台装置に、本発明を適用した例を説明する。しかし、本発明は、物品の載置が可能に構成され、載置されている物品に応じた演出を提示することが可能な任意の機器に適用可能である。故に、本実施形態では好適な鑑賞体験を提供する一態様として、載置される物品がフィギュアのような立体造形物であるものとして説明するが、本発明の実施はこれに限られるものではなく、その他の態様の物品であってもよいことは言うまでもない。
【００１０】
また、本明細書において、小型舞台装置が提示する「演出」とは、楽曲（歌唱楽曲を含む）や台詞・効果音（ＳＥ）等の音声出力と、照明効果であるものとして説明するが、演出の内容や提示態様はこれらに限定されるものではなく、その他のあらゆる演出要素の採用が可能であることは言うまでもない。
【００１１】
《演出提示システムの構成》
図１（ａ）は、本発明の実施形態に係る演出提示システムの構成を示したシステム図である。
【００１２】
図示されるように、本実施形態の演出提示システムは、演出対象要素であるキャラクタの外観を有する立体的に造形されたフィギュア４００と、フィギュア４００を載置可能に構成された小型舞台装置１００とで構成される。本実施形態の演出提示システムでは、提示される演出に対しての鑑賞者の介入は、後述のステージ１２０へのフィギュア４００の載置によって可能となるものとして説明する。
【００１３】
小型舞台装置１００について詳述すると、ライブ会場の舞台を模した外観を有しており、フィギュア４００を載置可能に構成された、本発明に係る載置部としてのステージ（舞台）１２０と、小型舞台装置１００の演出提示手段として、音声出力による演出を提示するスピーカ１３０、及び照明による演出を提示するライト１４０を有する。ユーザは、小型舞台装置１００のステージ１２０に所望の態様でフィギュア４００を載置することで、該フィギュアを演出とともに鑑賞することが可能となる。なお、上述したように、本実施形態では小型舞台装置１００が提示する演出が音声出力と照明効果であるものとして、演出提示手段としてスピーカ１３０とライト１４０が設けられているものとして説明するが、これに限られるものではなく、その他の種類の演出提示を行えるよう、例えば表示装置等の他の機器が含まれる、あるいは共働するよう接続されて構成されてもよい。
【００１４】
ステージ１２０は、複数種類のフィギュア４００の載置が可能に構成されており、後述するように、フィギュア４００の載置を検出すると、フィギュア４００に付された物品情報を取得可能に構成されている。ステージ１２０は、フィギュア４００についての所望の配置を実現すべく、平面状に構成されている。フィギュア４００は、図２に示される通り、ステージ１２０上に立位で安定して載置可能なよう、台座４１０を有して構成されていればよい。本実施形態の演出提示システムでは、フィギュア４００への物品情報の付加は、台座４１０内に組み込まれたＩＣタグやチップ等であってよいフィギュア記録媒体４２０に該情報が格納されることにより行われるものとする。本実施形態では、フィギュア４００は、フィギュア記録媒体４２０としてＲＦタグを有するものとして説明する。
【００１５】
また、本実施形態の演出提示システムでは、上述したフィギュア記録媒体４２０を有した、予め定められたフィギュア４００であるものとし、そのいずれも、同形同大に構成された台座４１０を有するものとして説明する。従って、有限のスペースを有するステージ１２０に載置可能なフィギュア４００の数は、該スペースの広さと台座４１０の大きさとに基づいて定まる。
【００１６】
詳細は後述するが、本実施形態の小型舞台装置１００を用いることで演出提示を行うことが可能なコンテンツは、載置されているフィギュア４００に対応付けられたキャラクタが出演し、楽曲に合わせて歌唱する楽曲ライブパフォーマンスであるものとする。ユーザは、単体のフィギュア４００をステージ１２０に載置することで、該フィギュア４００に対応付けられたキャラクタによる楽曲ライブパフォーマンスの演出を小型舞台装置１００に提示させることができる。またユーザは、複数体のフィギュア４００をステージ１２０に載置することで、これらのフィギュア４００に対応付けられたキャラクタで構成された「グループ」による楽曲ライブパフォーマンスの演出を小型舞台装置１００に提示させることができる。
【００１７】
一般的に、複数人で構成されたグループによる楽曲ライブパフォーマンスは、演出において全てのキャラクタを目立たせるのではなく、所謂センターや前列といった、グループ内で主要となるよう定められたキャラクタが中心となって進行するよう演出される。本実施形態の小型舞台装置１００では、ユーザが所望するキャラクタを中心とした楽曲ライブパフォーマンスの演出提示が可能なよう、図３（ａ）に示されるようにステージ１２０上のフィギュア４００を載置可能に構成された領域は、本発明に係る第１の載置部としての前列キャラクタ用スペース１２１と、同様に第２の載置部としての後列キャラクタ用スペース１２２とに分割されている。ここで、前列キャラクタ用スペース１２１に載置されているフィギュア４００に対応付けられたキャラクタは、ユーザにとって思い入れのあるキャラクタであると想定されるため、提示される楽曲ライブパフォーマンスにおいて中心となるよう演出される。即ち、ユーザは所望のキャラクタに係るフィギュア４００を前列キャラクタ用スペース１２１に載置することで、該キャラクタが目立つよう構成された楽曲ライブパフォーマンスの演出を鑑賞することが可能となる。
【００１８】
なお、本実施形態では前列キャラクタ用スペース１２１及び後列キャラクタ用スペース１２２は、１つの平面で形成されたステージ１２０上のそれぞれ異なる部分的領域が割り当てられるものであり、該ステージ１２０上に付されたライン１２３によって識別可能であるものとして説明する。しかしながら、本発明の実施はこれに限られるものではなく、前列キャラクタ用スペース１２１と後列キャラクタ用スペース１２２とは、別の部材として構成され、設置時に同一平面を形成するものであってもよい。あるいは、前列キャラクタ用スペース１２１と後列キャラクタ用スペース１２２とは同一平面を形成するものである必要はなく、例えば、演出において主要キャラクタとするキャラクタに係るフィギュア４００がより目立つよう、前列キャラクタ用スペース１２１の方が後列キャラクタ用スペース１２２よりも載置面が高くなるよう構成されているものであってもよい。または、反対に、後列キャラクタ用スペース１２２に載置されているフィギュア４００が前列キャラクタ用スペース１２１に載置されているフィギュア４００によって遮蔽されることを考慮し、前列キャラクタ用スペース１２１よりも後列キャラクタ用スペース１２２の方が載置面が高くなるよう構成されているものであってもよい。
【００１９】
また図３（ａ）に示されるように、本実施形態では前列キャラクタ用スペース１２１は、後列キャラクタ用スペース１２２よりも狭く構成されるものとする。即ち、前列キャラクタ用スペース１２１に載置可能なフィギュア４００の数は、後列キャラクタ用スペース１２２に載置可能なフィギュア４００の数よりも少なく構成（図の例では、前列には３体のフィギュア４００が、後列には４体のフィギュア４００が載置可能に構成）され、中心的に演出されるキャラクタの数が、その他のキャラクタよりも少なくなるよう構成されるものとする。このようにすることで、提示される演出において、前列キャラクタ用スペース１２１に載置されているフィギュア４００に係るキャラクタ１体あたりに割り当てられる、該キャラクタが中心的に（目立つように）演出される時間を長くすることができる。しかしながら、本発明の実施はこれに限られるものではなく、フィギュア４００を載置可能な数は、前列キャラクタ用スペース１２１と後列キャラクタ用スペース１２２とで同一であってもよいし、前者の方が多く構成されるものであってもよい。
【００２０】
スピーカ１３０は、小型舞台装置１００において、音声出力による演出を提示する役割を担う。上述したように、本実施形態の小型舞台装置１００では、ステージ１２０に載置されているフィギュア４００に対応付けられたキャラクタを登場させた楽曲ライブパフォーマンスを演出として提示するため、各キャラクタについて割り当てられた音声で歌われた歌唱パートと、楽器等で演奏された楽曲パートとが合成された音声を出力するものとする。この他、音声出力による演出は、キャラクタの台詞音声や効果音をさらに合成して出力する演出を含むものであってよい。
【００２１】
なお、本実施形態では、楽曲ライブパフォーマンスにおいて提示する音声出力による演出を、演奏（再生）される楽曲に対して、載置されているフィギュアに対応するキャラクタボイスの歌唱パートの音声を合成することで実現するものとして説明するが、本発明の実施はこれに限られるものではない。本発明の実施において音声出力による演出を行う場合には、ステージ１２０上におけるフィギュア４００の載置態様に応じてこれが制御されるものであればよく、載置されているフィギュア４００について定められた歌唱楽曲が再生される、もともと不変の歌唱パートが含まれる楽曲に対して、載置されているフィギュア４００に対応付けられたキャラクタの台詞音声が合成される等、演出の制御は、楽曲構成のレベルから行われるものである必要はない。
【００２２】
スピーカ１３０は、例えばステレオの音声を出力可能なＬ（左側）とＲ（右側）の２台であってよい。本実施形態ではスピーカ１３０は、ステージ１２０上に設置が可能に構成されていて、例えば図３（ａ）に示されるようにステージ１２０上にはスピーカ１３０設置の目安となる位置が、予め複数種類定められて（ステージ１２０上にマークが付されることで明示される、あるいはステージ１２０底面の形状に応じた凹凸を設けることで明示される）おり、このうちのいずれかの位置にスピーカ１３０を設置することで、ステージ１２０とスピーカ１３０底面に設けられた端子が電気的に結合し、音声出力が可能な状態になるものとする。ここで、ステージ１２０上に複数種類定められるスピーカ１３０の設置位置は、小型舞台装置１００の設置環境やユーザの鑑賞態様を考慮して推奨される位置、あるいはステージ１２０に配置するフィギュアの総数に応じて望ましい位置等を基準に定められるものであってよく、ユーザの好みによって変更可能に構成されるものであってよい。
【００２３】
なお、本実施形態ではスピーカ１３０を音声出力可能な状態として、音声出力による演出の提示を実現するために、スピーカ１３０をステージ１２０上の予め定められた位置に設置させ、電気的に結合させるものとして説明するが、本発明の実施はこれに限られるものではない。例えば音声出力端子が小型舞台装置１００に設けられ、該端子に対して他のスピーカ、あるいはアンプを介してスピーカを接続することで、音声出力による演出の提示を実現するものであってもよい。即ち、販売時のパッケージにおいて小型舞台装置１００にスピーカ１３０が付属していたとしても、これとは別のスピーカを用いることで、演出の提示が行われるものであってもよいことは言うまでもない。
【００２４】
ライト１４０は、小型舞台装置１００において、照明による演出を提示する役割を担う。本実施形態の小型舞台装置１００では、楽曲ライブパフォーマンスの演出提示が行われる際に、上述したような音声出力による演出に加え、ライト１４０を用いてスポットライトやステージライト等の照明による演出を実現する。ここで、本発明に係るライト１４０を用いた照明による演出において、照明の種類、照射方向、発光色、演出方法、設置位置は、特定の態様に限定されるものではなく、あらゆるものが採用されてよい。
【００２５】
例えば、ライト１４０の設置位置は、ステージ１２０上にフィギュア４００が載置された状態を基準に設置位置が定められるものであってよい。本実施形態の小型舞台装置１００では、載置して演出提示を可能にせしめる複数種類のフィギュア４００は、いずれも同等の高さを有する形状となっており、ライト１４０は図３（ｂ）に示されるように、載置されているフィギュア４００の天面よりも高い位置に、小型舞台装置１００の有する支柱や梁を用いて支持されるライト１４０ａと、該フィギュア４００を下部から照明するように、ステージ１２０の載置面に設置されるライト１４０ｂとを含むものであってよい。なお、フィギュア４００を下部から照明するライト１４０ｂは、本実施形態ではステージ１２０の載置面に載置されるものとして説明するが、下部から照明する態様はこれに限られるものではなく、ステージ１２０内部から透過パネル等を介して照明するものであってもよいし、ステージ１２０外の、載置面よりも低い位置から、照明するものであってもよい。
【００２６】
また、本実施形態では照明による演出が提示されていることが認識されやすいよう、ライト１４０ｂ、フィギュア４００を下部から照明するものとして説明するが、例えば、小型舞台装置１００を動作させる環境が、暗所、あるいはミストやスモーク等の光を散乱させる粒子が存在する環境である場合は、照明される対象はフィギュア４００である必要はない。この他、照明による演出において、ライト１４０（ａ及びｂを問わない）により照明される対象は、例えばミラーボールや反射パネル等、照射された光を反射や拡散する性質を有する部材であってもよい。
【００２７】
〈小型舞台装置の構成〉
次に、本実施形態の小型舞台装置１００の機能構成について、図４のブロック図を参照して説明する。なお、本実施形態において小型舞台装置１００は、図４に示されるブロックのうちの、実線で示されるブロックのみを機能構成として有するものとして説明する。
【００２８】
制御部１０１は、例えばＣＰＵであり、小型舞台装置１００が有する各ブロックの動作を制御する。具体的には制御部１０１は、例えば記録媒体１０２に記録されている各ブロックの動作プログラムを読み出し、メモリ１０３に展開して実行することにより各ブロックの動作を制御する。
【００２９】
記録媒体１０２は、例えば不揮発性メモリやＨＤＤ等の、恒久的にデータを保持可能な記録装置である。記録媒体１０２は、小型舞台装置１００が有する各ブロックの動作プログラムに加え、各ブロックの動作において必要となるパラメータや演出パターン、音声データ等の情報を記憶する。メモリ１０３は、例えば揮発性メモリ等の一時的なデータ記憶に使用される記憶装置である。メモリ１０３は、各ブロックの動作プログラムの展開領域としてだけでなく、各ブロックの動作において出力されたデータ等を一時的に記憶する格納領域としても用いられる。
【００３０】
取得部１０４は、例えばステージ１２０に内包されたリーダ１５０を介することで、本実施形態の小型舞台装置１００で使用可能なフィギュア４００がステージ１２０上に載置されたことを検出し、フィギュア記録媒体４２０が有する物品情報を取得する。使用可能なフィギュア４００が有するフィギュア記録媒体４２０は、本実施形態では近接無線通信（ＲＦＩＤ：Radio Frequency IDentifier）に対応したタグとなっているものとする。リーダ１５０は、制御部１０１により通信可能に制御されている際に、通信可能範囲にフィギュア記録媒体４２０が載置されたことの検出を条件として、単純にはステージ１２０上に該フィギュア記録媒体４２０を有するフィギュア４００が載置された場合に、該フィギュア記録媒体４２０を検出すると共に物品情報の取得（読み取り）を行う。
【００３１】
物品情報は、例えば図９（ａ）に示されるように、フィギュア４００の各々について固有に設定された識別情報であるフィギュアＩＤ９０１に関連付けて、該フィギュア４００に対応付けられているキャラクタを特定するキャラクタＩＤ９０２、及び該キャラクタについて定められた楽曲を特定する楽曲ＩＤ９０３を有して構成されるものであってよい。詳細は後述するが、キャラクタについて定められた楽曲とは、該キャラクタの所謂持ち歌として設けられた、該キャラクタが中心となって歌唱し、演出される楽曲を指すものとする。
【００３２】
本実施形態では簡単のため、ステージ１２０上にフィギュア４００が載置された際には、各フィギュア４００について、ステージ１２０上の前列キャラクタ用スペース１２１と後列キャラクタ用スペース１２２のいずれに載置されているかを検出可能に、リーダ１５０及び取得部１０４は構成されているものとして説明する。後述する通り、本実施形態の小型舞台装置１００では、前列キャラクタ用スペース１２１に載置されているフィギュア４００に基づいて、該フィギュアに対応付けられたキャラクタが中心的となるような演出提示がなされるよう構成されている。換言すれば、前列キャラクタ用スペース１２１に載置されているフィギュア４００については、該フィギュアに対応付けられたキャラクタが中心的に演出される楽曲ライブパフォーマンスの鑑賞を、ユーザが所望していると推定されるため、これを把握可能なようリーダ１５０及び取得部１０４が構成されているものとする。
【００３３】
しかしながら、本発明の実施において、ステージ１２０に載置されたフィギュア４００の検出はこれに限られるものではなく、ステージ１２０上のフィギュア４００の載置態様からユーザが所望しているであろう演出を推定可能に構成されていればよい。例えば、ステージ１２０のいずれの位置にフィギュア４００が載置されたかを検出して情報取得可能なように、リーダ１５０及び取得部１０４が構成されていても、同様にユーザが所望しているであろう演出を推定できる。あるいは、推定ではなく、例えば演出を中心とするキャラクタを示す操作入力を伴ってフィギュア４００が載置されることによって、所望の演出内容を把握する態様であってもよい。
【００３４】
キャラクタＤＢ１０５は、対応付けられたフィギュア４００が小型舞台装置１００で使用可能であるキャラクタの各々について、該キャラクタに係る演出に提示用に定められた情報（キャラクタ演出情報）を管理するデータベースである。本実施形態ではキャラクタ演出情報は、例えば図９（ｂ）に示されるように、キャラクタを特定するキャラクタＩＤ９１１に関連付けて、該キャラクタが対応付けられたフィギュア４００が載置されている場合に提示される演出内容を構成するために必要な構成用情報９１２を管理する。図示されるように、構成用情報９１２は楽曲ごとに管理されるものであり、各楽曲について、該楽曲を特定する楽曲ＩＤ９２１に関連付けて、音声出力による演出を構成するために参照される音声演出情報９２２と、照明による演出を構成するために参照される照明演出情報９２３と、を含む。
【００３５】
音声演出情報９２２は、対象の楽曲ライブパフォーマンスにキャラクタが参加する（単純にステージ１２０上にフィギュア４００が載置されている）場合において、キャラクタの音声での該楽曲に対して加えられる音声データを特定する情報を示している。詳細は後述するが、提示される楽曲ライブパフォーマンスの演出において、キャラクタは、対応するフィギュア４００が前列キャラクタ用スペース１２１と後列キャラクタ用スペース１２２のいずれに載置されているかに応じて、担当する歌唱パートが異なる。このため、音声演出情報９２２には、キャラクタが前列に存在する場合に使用される歌唱パートの音声データを示す前列歌唱データＩＤ９３１と、後列に存在する場合に使用される歌唱パートの音声データを示す後列歌唱データＩＤ９３２とを含む。また、楽曲ごとに定められ、本実施形態では楽曲ライブパフォーマンス中にランダムに発生が制御される、キャラクタ同士の掛け合いや、キャラクタが鑑賞者に対して行う所謂マイクパフォーマンスやコール等、歌唱以外の特殊な音声演出を記述したシナリオを特定する特殊シナリオＩＤ９３３を、音声演出情報９２２は含む。
【００３６】
また照明演出情報９２３は、対象の楽曲情報にキャラクタが参加する場合において、該キャラクタ用に行われる照明演出におけるライト１４０の発光色９４１、及び該キャラクタが前列に存在する場合と後列に存在する場合のライト１４０の発光パターンを記述した前列発光パターン９４２及び特殊発光パターン９４３を含む。発光色９４１は、例えばキャラクタについて固有に定められ、いずれの楽曲でも同一の色を示すものであってもよい。
【００３７】
楽曲ＤＢ１０６は、小型舞台装置１００において再生可能に設けられた楽曲に関する各種情報（楽曲情報）を管理するデータベースである。本実施形態では楽曲情報は、例えば図９（ｃ）に示されるように、楽曲を特定する楽曲ＩＤ９５１に関連付けて、楽曲ライブパフォーマンス時に再生される楽曲データ９５２、使用可能に構成されたフィギュア４００が載置されている場合に楽曲データに対して合成して出力される歌唱パートや特殊シナリオに係る音声データ９５３、該楽曲に係る特殊シナリオが設けられているキャラクタを示す特殊シナリオキャラクタＩＤ９５４、該楽曲を用いた楽曲ライブパフォーマンスの照明演出で基本的に用いられるライト１４０の発光色を示す基本発光色９５５及びその発光パターンを示す基本発光パターン９５６を含む。
【００３８】
なお、物品情報、キャラクタ演出情報、楽曲情報は、小型舞台装置１００に予め記憶されているものとして構成されるものであってもよいし、接続された外部機器や記録媒体から取得することで、追加が可能に構成されるものであってもよい。
【００３９】
演出構成部１０７は、小型舞台装置１００において、楽曲ライブパフォーマンスの提供がなされる際の、音声出力による演出及び該音声出力に同期して提示する照明による演出を構成する。上述したように、ステージ１２０には複数種類のフィギュア４００が載置可能に構成されているため、１つの楽曲中に複数のキャラクタの担当パートの切り替えを生じさせて楽曲ライブパフォーマンスを提供すべく、演出構成部１０７は、演出内容の構成を行う。本実施形態では演出構成部１０７は、楽曲ライブパフォーマンスで再生される楽曲の各々について、ステージ１２０におけるフィギュア４００の載置態様やフィギュア４００の組み合わせと、該フィギュアに対応するキャラクタに係る音声演出情報９２２、照明演出情報９２３及び楽曲情報とに基づいて、一連の音声出力による演出と照明による演出の双方を構成する。
【００４０】
提示制御部１０８は、小型舞台装置１００におけるユーザへの各種演出提示の制御を司る。本実施形態の小型舞台装置１００では、ユーザへの各種演出提示の手段として、上述したようにスピーカ１３０及びライト１４０を有しているものとして説明する。しかしながら、本発明の実施に係り、演出提示の手段はこれらに限られるものではなく、代替あるいは追加が可能であることは言うまでもない。
【００４１】
提示制御部１０８は、例えばサウンドボードやアンプ等の音声信号の出力／増幅を行う回路を含み、ステージ１２０上に配置されて接続中のスピーカ１３０から出力させる音声を生成する際には所定の処理を行う。具体的には提示制御部１０８は、演出構成部１０７によって構成された音声出力による演出の情報に基づいて、必要な音声データを合成したデータを構成して再生し、電気的な音声信号に変換（Ｄ／Ａ変換）してスピーカ１３０に出力することで、音声出力を行う。
【００４２】
また提示制御部１０８は、例えば調光回路を含み、小型舞台装置１００に設けられた複数のライト１４０のそれぞれの発光状態を、独立して制御することが可能に構成される。具体的には提示制御部１０８は、演出構成部１０７によって構成された照明による演出の情報に基づいて、各ライト１４０の発光色及び発光有無の制御を行う。
【００４３】
操作入力部１０９は、例えば電源ボタンやリセットボタン、楽曲ライブパフォーマンスに係るフィギュア４００の読み取り、演出開始、停止に用いられる各種操作部材等、小型舞台装置１００が有するユーザインタフェースである。操作入力部１０９は、各種操作部材に対する操作入力がなされたことを検出すると、該操作入力に対応する制御信号を制御部１０１に出力する。
【００４４】
《演出構成》
次に、本実施形態の小型舞台装置１００において、ステージ１２０上に載置されているフィギュア４００に基づいて演出構成部１０７が行う演出構成について、詳細を説明する。
【００４５】
上述したように、フィギュア４００の各々には楽曲が対応付けられており、ステージ１２０に載置されることで、基本的には該楽曲の再生を伴う楽曲ライブパフォーマンスが提供される。楽曲ライブパフォーマンスは、上限として設けられた数に至るまでは、ステージ１２０に載置されているフィギュア４００の数に応じて連続して再生される楽曲数が増加する。即ち、例えば上限数が５である場合、５体以下のフィギュア４００がステージ１２０に載置されているのであれば、演出構成部１０７は、その全てに対応付けられた楽曲を楽曲ライブパフォーマンスにおいて連続して再生するよう、演出を構成する。一方で、上限数を越える数のフィギュア４００がステージ１２０に載置されている場合には、演出構成部１０７は、これらのフィギュア４００の各々に対応付けられた楽曲のうちから上限数の楽曲を抽出して、楽曲ライブパフォーマンスにおいて再生する一連の楽曲を構成する。楽曲ライブパフォーマンスにおいて再生する一連の楽曲の情報は、その再生順も含めてセットリストとして例えばメモリ１０３に管理されるものであってよい。
【００４６】
セットリストに含める楽曲の選択や再生順の決定においては、演出構成部１０７は、ステージ１２０に載置されているフィギュア４００のうちの、前列キャラクタ用スペース１２１に載置されているフィギュア４００に対応付けられた楽曲が優先されるものとする。より詳しくは、演出構成部１０７は、上限数を超えるフィギュア４００がステージ１２０に載置されている場合には、前列キャラクタ用スペース１２１に載置されているフィギュア４００に対応付けられた楽曲を優先的に再生する楽曲として選択してセットリストに追加し、後列キャラクタ用スペース１２２に載置されているフィギュア４００に対応付けられた楽曲については、その後の不足曲数分のみセットリストに追加する。また演出構成部１０７は、楽曲ライブパフォーマンスにおいて再生する一連の楽曲のうちの、例えば開始の数曲や最後の曲等の目立ちやすい、または鑑賞者の興趣が高まりやすい曲順に、前列キャラクタ用スペース１２１に載置されているフィギュア４００に対応付けられた楽曲が再生されるようセットリストを構成するものとする。演出構成部１０７は、基本的には毎回同じようなパフォーマンスが行われないよう、このような基準に従いつつ、抽選処理等によって楽曲の再生順をランダムに決定するものとする。
【００４７】
また、楽曲ライブパフォーマンスで再生される各楽曲について、楽曲中の各歌唱区間を、ステージ１２０に載置されているフィギュア４００に対応付けられたキャラクタのうちから、いずれのキャラクタに担当させるか（いずれのキャラクタの該歌唱区間に係る歌唱パートの音声データを採用するか）の決定を演出構成部１０７は行う。歌唱区間は、グループ全体で歌唱する区間に加えて、ソロやデュオ等、グループの一部のキャラクタが歌唱する区間が含まれるものであり、演出構成部１０７はこれらの全てについて担当させるキャラクタの決定を行い、楽曲データに対して各歌唱区間で合成する音声データを特定する。
【００４８】
より詳しくは、グループ全体で歌唱する歌唱区間については、演出構成部１０７は、ステージ１２０に載置されているフィギュア４００に対応付けられた全てキャラクタの、同歌唱区間に係る歌唱パートの音声データを、各キャラクタのキャラクタ演出情報に基づいて特定し、歌唱区間を識別する識別情報と関連付けて、該音声データを示す情報を音声出力による演出に用いる音声データを管理する音声演出リスト（メモリ１０３に格納されるものであってよい）に追加する。また演出構成部１０７は、一部のキャラクタが歌唱する歌唱区間については、ステージ１２０のうちの前列キャラクタ用スペース１２１に載置されているフィギュア４００に対応付けられたキャラクタのうちから、必要数のキャラクタを選択し、同歌唱区間に係る同キャラクタの歌唱パートの音声データを特定して、同様に該歌唱区間の識別情報と関連付けて該音声データを示す情報を音声演出リストに追加する。故に、ソロ区間等の一部のキャラクタが歌唱する区間に係る歌唱パートの音声データの情報は、前列歌唱データＩＤ９３１にのみ含まれ、後列歌唱データＩＤ９３２には含まれない。
【００４９】
なお、本実施形態では、一部のキャラクタが歌唱する区間では、前列キャラクタ用スペース１２１にフィギュア４００が載置されているキャラクタのうちからこれを決定するものとして説明するが、上述したように楽曲の各々はいずれかのキャラクタに対応付けられているものであるため、該区間の一部または全部に、楽曲に対応付けられたキャラクタの歌唱パートの音声データが再生されるように制御するものとしてもよい。
【００５０】
また、楽曲には歌唱区間の他に特殊シナリオに係る音声演出を行う区間（特殊区間）も設けられており、演出構成部１０７は、該特殊区間についても同様に楽曲情報とキャラクタ演出情報の特殊シナリオＩＤ９３３に基づいて音声演出リストへの情報追加を行う。ここで、歌唱区間と特殊区間とは、楽曲の進行において重複した時間を含むものであってよい。また、特殊シナリオに係る音声演出を行うか否かは、対象の楽曲に係る楽曲情報の特殊シナリオキャラクタＩＤ９５４で規定されるキャラクタあるいはキャラクタ群が、ステージ１２０に載置されているフィギュア４００に係るキャラクタ群に含まれるか否かに応じて決定されるものであってよい。つまり、演出構成部１０７は、グループに含まれるキャラクタの組み合わせが、特殊シナリオキャラクタＩＤ９５４により示される特殊シナリオが設けられたキャラクタの組み合わせを含む場合、該特殊シナリオ演出に係る音声データの情報を音声演出リストに加えるよう制御する。このとき、該当の組み合わせが複数存在するのであれば、前列キャラクタ用スペース１２１に載置されているフィギュア４００に対応付けられたキャラクタが含まれる組み合わせを優先するよう、演出構成部１０７は選択を行えばよい。
【００５１】
一方、照明による演出については、演出構成部１０７は基本的には構成された音声演出リストに基づいて構成を行う。演出構成部１０７は、楽曲ライブパフォーマンスで再生される楽曲のそれぞれについて、基本的には該楽曲について楽曲情報で定められた基本発光色９５５及び基本発光パターン９５６に基づいて照明演出を行うものとして、音声演出リストと同様に時系列でライト１４０の発光制御の情報を管理する照明演出リストを構成し、メモリ１０３に格納する。また、演出構成部１０７は、グループの一部のキャラクタに歌唱を担当させる歌唱区間や特殊区間については、それぞれ対応付けられた音声データが再生されるキャラクタ、即ち、歌唱を担当させるキャラクタ及び特殊シナリオに関与するキャラクタに係るキャラクタ演出情報の照明演出情報９２３に基づいて、発光制御の情報を照明演出リストに加える（更新する）。これらキャラクタ固有の発光制御は、例えば音声データの再生タイミングに合わせて該当のキャラクタのみを照明する、キャラクタについて割り当てられた発光色及び発光パターンで全てのライト１４０が制御される等であってよい。
【００５２】
このように、本実施形態の演出構成部１０７は、ステージ１２０に載置されているフィギュア４００に係るキャラクタの組み合わせ、及びフィギュア４００の載置される位置に基づいて、楽曲ライブパフォーマンスとして提供される各種演出の構成を制御することができる。
【００５３】
《演出制御処理》
次に、本実施形態の小型舞台装置１００において楽曲ライブパフォーマンス提供に係り実行される演出制御処理について、図５のフローチャートを用いて具体的な処理を説明する。該フローチャートに対応する処理は、制御部１０１が、例えば記録媒体１０２に記憶されている対応する処理プログラムを読み出し、メモリ１０３に展開して実行することにより実現することができる。なお、本演出制御処理は、例えば小型舞台装置１００の状態が、フィギュア４００の読み取り状態に制御された際に開始されるものとして説明する。
【００５４】
Ｓ５０１で、制御部１０１は、ステージ１２０に新たなフィギュア４００が載置されたか否かを判断する。本ステップの判断は、リーダ１５０が新たなフィギュア４００の載置を検出したか否かに基づいて行われる。制御部１０１は、新たなフィギュア４００が載置されたと判断した場合は処理をＳ５０２に移し、載置されていないと判断した場合は処理をＳ５０３に移す。
【００５５】
Ｓ５０２で、制御部１０１は、提供する楽曲ライブパフォーマンスに係るグループ（キャラクタ群）の情報を管理するグループリストに、新たに載置されたフィギュア４００に対応付けられたキャラクタの情報を追加する。より詳しくは、制御部１０１は、新たに載置されたことが検出されたフィギュア４００から取得部１０４が取得した物品情報に基づいて、グループリストへのキャラクタの情報追加を行う。グループリストにおいて１人のキャラクタについて管理される情報は、図９（ｄ）に示されるように、該キャラクタのキャラクタＩＤ９６１に関連付けて、該当のフィギュア４００が前列キャラクタ用スペース１２１と後列キャラクタ用スペース１２２いずれに載置されたかを示す載置スペース９６２、及び該キャラクタに対応付けられた楽曲を示す楽曲ＩＤ９６３を有するものであってよい。
【００５６】
Ｓ５０３で、制御部１０１は、ステージ１２０上に載置されているフィギュア４００の、ライン１２３を跨いだ移動がなされたか否かを判断する。制御部１０１は、ライン１２３を跨いだフィギュア４００の移動がなされたと判断した場合は処理をＳ５０４に移し、なされていないと判断した場合は処理をＳ５０５に移す。
【００５７】
Ｓ５０４で、制御部１０１は、グループリストに含まれる情報のうち、移動がなされたフィギュア４００に対応するキャラクタの情報の載置スペース９６２を更新する。
【００５８】
Ｓ５０５で、制御部１０１は、ステージ１２０上から取り除かれたフィギュア４００が存在するか否かを判断する。制御部１０１は、ステージ１２０上から取り除かれたフィギュア４００が存在すると判断した場合は処理をＳ５０６に移し、存在しないと判断した場合は処理をＳ５０７に移す。
【００５９】
Ｓ５０６で、制御部１０１は、グループリストに含まれる情報のうち、ステージ１２０上から取り除かれたフィギュア４００に対応するキャラクタの情報を削除する。
【００６０】
Ｓ５０７で、制御部１０１は、今回の楽曲ライブパフォーマンスに係るステージ１２０へのフィギュア４００の載置が完了したか否かを判断する。ステージ１２０へのフィギュア４００の載置は、例えば載置完了に係る操作入力がなされたこと、ステージ１２０上に載置されたフィギュア４００の数が上限数に至った状態で所定時間経過したことを条件として、完了したと判断するものであってよい。制御部１０１は、ステージ１２０へのフィギュア４００の載置が完了したと判断した場合は処理をＳ５０８に移し、完了していないと判断した場合は処理をＳ５０１に戻す。
【００６１】
Ｓ５０８で、演出構成部１０７は制御部１０１の制御の下、グループリストの情報に基づいて、提供する楽曲ライブパフォーマンスに係る演出を構成する。演出の構成は、上述したセットリスト、音声演出リスト及び照明演出リストの構成により実現される。
【００６２】
Ｓ５０９で、提示制御部１０８は制御部１０１の制御の下、演出構成部１０７により構成されたセットリスト、音声演出リスト及び照明演出リストに基づいて、楽曲ライブパフォーマンスに係る演出の提示制御を開始する。音声出力による演出の提示は、セットリストに従った曲順での楽曲データの展開、該楽曲について音声演出リストに含まれる音声データの展開、楽曲データの再生、及び楽曲の進行について定められた区間における楽曲データと音声データの合成を含み、これに基づく電気信号がスピーカ１３０に伝達されることによって実現される。また照明による演出の提示は、照明演出リストにて時系列に示される各ライト１４０の発光色及び発光パターンの情報に基づき、楽曲再生に同期して各ライト１４０に係る電圧制御がなされることによって実現される。
【００６３】
Ｓ５１０で、制御部１０１は、セットリストに定められた全ての楽曲の再生及び演出の提示が完了したか否かを判断する。制御部１０１は、全ての楽曲の再生及び演出の提示が完了したと判断した場合は本演出制御処理を完了し、完了していないと判断した場合は本ステップの処理を繰り返す。
【００６４】
以上説明したように、本実施形態の演出提示装置によれば、載置される物品に応じた好適な演出を提示することができる。より詳しくは、鑑賞者の思い入れが高いと推定される、ステージ１２０の前列キャラクタ用スペース１２１にフィギュア４００が載置されているキャラクタが、提供される楽曲ライブパフォーマンスにおいて中心的な演出対象となるよう、音声出力による演出及び照明による演出を構成し、提示することができる。
【００６５】
なお、本実施形態では、音声出力による演出について、セットリストに含める楽曲選択及び音声演出リストにおいて歌唱区間で再生する歌唱パートの音声データの決定を、ステージ１２０におけるフィギュア４００の載置態様に基づいて行う態様について説明したが、本発明の実施はこれに限られるものではない。即ち、ステージ１２０におけるフィギュア４００の載置態様に応じた音声出力による演出は、これらのいずれかについて行われるものであってもよい。換言すれば、セットリストに含める楽曲選択のみを、フィギュア４００の載置態様に基づいて行うものであってもよいし、楽曲選択の要素がなく、楽曲の歌唱区間で再生される歌唱パートの音声データの決定のみを、フィギュア４００の載置態様に基づいて行うものであってもよい。
【００６６】
［変形例１］
上述した実施形態１では、ステージ１２０上のフィギュア４００が、前列キャラクタ用スペース１２１と後列キャラクタ用スペース１２２のいずれに載置されているかに応じて、対応付けられたキャラクタが演出対象となる頻度を変更するものとして説明した。一方で、ステージ演出や物品レイアウトの観点からすると、鑑賞者の好みのキャラクタのフィギュア４００は、中央に配置されることが多い。このため、リーダ１５０がステージ１２０上のフィギュア４００の位置をさらに精密に検出可能な態様においては、その位置に応じて演出対象となる頻度を変更するものとしてもよい。
【００６７】
例えば、グループの一部のキャラクタが歌唱する区間については、フィギュア４００が前列キャラクタ用スペース１２１の中央に近い位置に載置されているキャラクタに、歌唱の担当が割り当てられやすいように制御するものとしてよい。換言すれば、前列キャラクタ用スペース１２１の中央に近い位置にフィギュア４００が載置されているキャラクタを、優先的に該歌唱区間の歌唱担当とする、あるいは歌唱担当の選択に際して抽選処理等を行う態様では該キャラクタが選択される確率を高くするよう制御すればよい。
【００６８】
また、本変形例に係る態様では、ステージ１２０上のフィギュア４００の位置と対応付けて、ステレオで提示される音声出力において、フィギュア４００の位置に応じてキャラクタ音声データの左右の出力バランスを調整し、より臨場感の高い鑑賞体験を提供することも可能である。
【００６９】
［実施形態２］
上述した実施形態１及び変形例１では、楽曲ライブパフォーマンスの提供開始前の時点で、ステージ１２０上のフィギュア４００の載置態様に基づいて演出構成部１０７が演出内容を確定するものとして説明した。しかしながら、本発明の実施はこれに限られるものではなく、提示する演出内容は、楽曲ライブパフォーマンスの提供開始後に、例えば鑑賞者によって行われた操作入力に応じて動的に変化するものであってもよい。
【００７０】
《演出提示システムの構成》
本実施形態の演出提示システムは、楽曲ライブパフォーマンスの提供開始後に、鑑賞者の操作入力を受け付けるべく、図１（ｂ）に示されるように、実施形態１のシステム構成に加えて、本発明に係る第２の操作入力装置としてのペンライト２００を含む。即ち、本実施形態の演出提示システムでは、提示される演出に対しての鑑賞者の介入は、ステージ１２０へのフィギュア４００の載置に加え、ペンライト２００を用いて操作入力を行うことによって可能となるものとして説明する。
【００７１】
ペンライト２００は、詳細は後述するが、楽曲ライブパフォーマンスの提供中において、鑑賞者が片手で把持して操作部材の操作や振動あるいは揺動操作をしやすいよう構成される。小型舞台装置１００とペンライト２００とは、例えば赤外線通信によって情報通信が可能であり、本実施形態では小型舞台装置１００が赤外線受光部を、ペンライト２００が赤外線発光部を有するものとして説明する。
【００７２】
なお、本実施形態では演出提示システムの製造コストや機器連携の利便性を考慮して、小型舞台装置１００とペンライト２００とが赤外線通信方式により情報通信を行うものとして説明するが、これらの機器間通信は他の通信方式によって代替可能であることは言うまでもない。また好適な鑑賞体験を提供すべく、本実施形態では第２の操作入力装置としてペンライト２００を採用するものとして説明するが、操作入力装置の形態や用途がペンライト２００に限られるものではないことも理解されよう。
【００７３】
〈小型舞台装置１００の構成〉
以下、本実施形態の小型舞台装置１００の機能構成について、図４のブロック図を参照して説明する。なお、本実施形態において小型舞台装置１００は、図４に示されるブロックのうちの、実線で示されるブロックに加え、破線で示されるブロックを機能構成として有するものとして説明する。従って、本実施形態の小型舞台装置１００の機能構成の説明において、実施形態１と同様の構成については説明を省略する。
【００７４】
通信部１１０は、小型舞台装置１００が有する情報受信用の通信インタフェースである。上述したように、本実施形態では小型舞台装置１００は、ペンライト２００との直接的な通信を実現すべく、赤外線通信での情報取得が可能に構成されており、通信部１１０は、赤外線受光部を含む。通信部１１０は、例えばステージ１２０へのフィギュア４００の載置完了が判断されてから、ペンライト２００においてなされた操作入力を示す赤外線信号や、ペンライト２００の状態を示す情報を示す赤外線信号を受信可能な状態に制御されるものとする。
【００７５】
〈ペンライト２００の構成〉
次に、本実施形態のペンライト２００の機能構成について、図６のブロック図を参照して説明する。なお、ペンライト２００が有する機能構成の説明において、小型舞台装置１００と同様の機能を有する構成を峻別すべく、ペンライト２００が有する該構成には「ライト」の接頭文字を付して説明する。
【００７６】
ライト制御部２０１は、例えばマイクロコンピュータであり、ペンライト２００が有する各ブロックの動作を制御する。具体的にはライト制御部２０１は、例えばライト記録媒体２０２に記録されている各ブロックの動作プログラムを読み出し、ライトメモリ２０３に展開して実行することにより各ブロックの動作を制御する。
【００７７】
ライト記録媒体２０２は、例えば不揮発性メモリ等の、恒久的にデータを保持可能な記録装置である。ライト記録媒体２０２は、ペンライト２００が有する各ブロックの動作プログラムに加え、各ブロックの動作において必要となるパラメータ等の情報を記憶する。ライトメモリ２０３は、例えば揮発性メモリ等の一時的なデータ記憶に使用される記憶装置である。ライトメモリ２０３は、各ブロックの動作プログラムの展開領域としてだけでなく、各ブロックの動作において出力されたデータ等を一時的に記憶する格納領域としても用いられる。
【００７８】
検出部２０４は、センサ２１０からの出力に基づき、ペンライト２００についてなされた振動操作を検出する。本実施形態ではペンライト２００は、該ペンライト２００を振ることによって操作入力が可能に構成されており、該操作入力を検出するためのセンサ２１０を有する。センサ２１０は、例えばジャイロセンサ等のペンライト２００に生じた振動を検出可能に構成されたセンサであってよい。検出部２０４は、センサ２１０のセンサ出力を受信し、所定の振動パターンを検出し、振動操作がなされたものとしてライト制御部２０１に対応する制御信号を出力する。
【００７９】
なお、本実施形態ではペンライト２００を用いてなされた振動操作を、ペンライト２００自体が有するセンサ２１０及び検出部２０４を用いて検出するものとして説明するが、本発明の実施はこれに限られるものではない。例えば小型舞台装置１００に接続された撮像装置等によりペンライト２００を撮像して間欠的に得られる撮像画像を解析することにより、振動操作がなされたことを小型舞台装置１００において検出する構成としてもよい。
【００８０】
ライト操作入力部２０５は、例えば電源ボタンや、発光色の変更、演出開始・停止に用いられる各種操作部材等、ペンライト２００が有するユーザインタフェースである。ライト操作入力部２０５は、各種操作部材に対する操作入力がなされたことを検出すると、該操作入力に対応する制御信号をライト制御部２０１に出力する。
【００８１】
発光制御部２０６は、ペンライト２００が有する発光部２２０の発光を制御する。本実施形態のペンライト２００は、楽曲ライブパフォーマンスの提供に係る興趣性を高めるべく、発光色を変更可能な発光部を有する。発光制御部２０６は、例えば調光回路を含み、発光部２２０の発光状態を制御することが可能に構成される。具体的には発光制御部２０６は、発光色の変更に係る操作入力がなされたことに基づいて、発光部２２０の発光色を変更する制御を行う。
【００８２】
ライト通信部２０７は、ペンライト２００が有する情報送信用の通信インタフェースである。上述したように、本実施形態では２００は、小型舞台装置１００との直接的な通信を実現すべく、赤外線通信での情報送信が可能に構成されており、ライト通信部２０７は、赤外線発光部を含む。ライト通信部２０７は、例えば検出部２０４による振動操作の検出やライト操作入力部２０５による操作入力の検出がなされると、該検出された操作入力に対応する赤外線信号を送信するよう制御する。
【００８３】
《演出構成》
次に、本実施形態の小型舞台装置１００において、ステージ１２０上のフィギュア４００の載置態様及びペンライト２００においてなされた操作入力に基づいて演出構成部１０７が行う演出構成について、詳細を説明する。
【００８４】
本実施形態の演出提示システムでは、楽曲ライブパフォーマンスの提供開始前に係る演出構成部１０７のセットリスト、音声演出リスト、及び照明演出リストの構成については、基本的には実施形態１と同様に演出構成部１０７が行うものであってよいが、一部の特殊シナリオに係る音声演出については、提供開始後にペンライト２００においてなされた振動操作、及びその際の発光部２２０の発光色に基づいて、提示有無が制御されるものとする。
【００８５】
より詳しくは、鑑賞者は楽曲ライブパフォーマンスの提供開始後において、発光部２２０をグループに含まれるいずれかのキャラクタについて定められた発光色、即ち該キャラクタに係るキャラクタ演出情報の発光色９４１に発光させた状態で、ペンライト２００を用いて所定の振動操作を行うことで、該キャラクタが関与する特殊シナリオの演出を鑑賞することができる。換言すれば、ライト制御部２０１は、所定の振動操作が検出された場合に、該振動操作が検出されたことを示す情報と現在の発光部２２０の発光色の情報とを含む赤外線信号を、ライト通信部２０７に送出させることで小型舞台装置１００に伝達させる。そして演出構成部１０７は、これを受けて、該当の特殊シナリオに係る音声出力による演出及び照明による演出を提示するよう、動的に演出用の情報を構成して音声演出リスト及び照明演出リストに追加することで、楽曲ライブパフォーマンスの提供開始前には提示予定ではなかった演出を、さらに提示制御部１０８に提示させることが可能となる。
【００８６】
楽曲ライブパフォーマンスの提供開始後において所定の振動操作によって鑑賞可能となる演出は、例えば発光部２２０の発光色が対応付けられたキャラクタによる、マイクパフォーマンス等の音声データを再生すること、及びライト１４０によって該キャラクタのフィギュア４００を同発光色で照明することを含むものであってよい。あるいは、該キャラクタへの観客の声援を示す音声データの再生を含むものであってもよい。
【００８７】
このようにすることで、楽曲ライブパフォーマンスを受動的な鑑賞コンテンツとするのではなく、鑑賞者参加型の鑑賞コンテンツとして提供することが可能となる。また、ペンライト２００の発光色は鑑賞者が任意の色に設定可能であるため、前列キャラクタ用スペース１２１にフィギュア４００が載置されているキャラクタ以外の特殊シナリオに係る演出を鑑賞する機会を、提供することが可能となる。
【００８８】
なお、本実施形態では、発光部２２０の発光色を、ステージ１２０にフィギュア４００が載置されているいずれかのキャラクタに対応付けられた色に設定することで、キャラクタを指定して特殊シナリオに係る演出を提示せしめるものとして説明するが、本発明の実施はこれに限られるものではない。例えば、発光部２２０の発光色には依らず、所定の振動操作がなされたことをもって、演出構成部１０７が選択した特殊シナリオに係る演出が提示される態様であってもよい。あるいは、提示される演出は、特殊シナリオに係るものである必要はなく、楽曲ライブパフォーマンスの提供開始前に決定された歌唱パートの音声データを変更するものであってもよい。
【００８９】
《演出制御処理》
以下、このような演出構成を伴う、本実施形態の小型舞台装置１００において実行される演出制御処理について、図７のフローチャートを用いて具体的な処理を説明する。該フローチャートに対応する処理は、制御部１０１が、例えば記録媒体１０２に記憶されている対応する処理プログラムを読み出し、メモリ１０３に展開して実行することにより実現することができる。なお、本実施形態の演出制御処理において、実施形態１の演出制御処理と同様の処理を行うステップについては、同一の参照番号を付して説明を省略し、以下では本実施形態において特徴的な処理を行うステップの説明に留める。
【００９０】
Ｓ５０８において、提供開始前の楽曲ライブパフォーマンスに係る演出構成が完了すると、制御部１０１は、ペンライト２００による提供開始に係る操作入力の待機状態に小型舞台装置１００を制御し、Ｓ７０１でペンライト２００において提供開始に係る操作入力がなされたか否かを判断する。本ステップの判断は、通信部１１０が、提供開始に係るボタン操作がなされたことに応じてペンライト２００から送出された赤外線信号を受信したか否かに基づいてなされるものであってよい。制御部１０１は、提供開始に係る操作入力がなされたと判断した場合は処理をＳ５０９に移し、なされていないと判断した場合は本ステップの処理を繰り返す。
【００９１】
またＳ５０９において楽曲ライブパフォーマンスに係る演出の提示制御が開始されると、制御部１０１はＳ７０２で、ペンライト２００において所定の振動操作がなされたか否かを判断する。本ステップの判断も同様に、通信部１１０が、所定の振動操作が検出されたことに応じてペンライト２００から送出された赤外線信号を受信したか否かに基づいてなされるものであってよい。制御部１０１は、所定の振動操作がなされたと判断した場合は処理をＳ７０３に移し、なされていないと判断した場合は処理をＳ７０４に移す。
【００９２】
Ｓ７０３で、演出構成部１０７は制御部１０１の制御の下、所定の振動操作に伴って受信した情報に基づき、動的に提示条件が満たされる特殊シナリオの情報で音声演出リスト及び照明演出リストを更新する。当該リストの情報更新により、提示制御部１０８は、楽曲進行に合わせて、更新後のリストに基づいた演出提示を行うものとする。
【００９３】
Ｓ７０４で、制御部１０１は、セットリストに定められた全ての楽曲の再生及び演出の提示が完了したか否かを判断する。制御部１０１は、全ての楽曲の再生及び演出の提示が完了したと判断した場合は本演出制御処理を完了し、完了していないと判断した場合は処理をＳ７０２に戻す。
【００９４】
このようにすることで、楽曲ライブパフォーマンスを鑑賞中の鑑賞者のペンライト２００を用いた操作入力に応じて、動的に演出提示を異ならせた、より興趣性の高い鑑賞体験を提供することが可能となる。
【００９５】
［変形例２］
上述した実施形態２では、ペンライト２００の発光色を鑑賞者が設定することにより、該発光色が対応付けられたキャラクタの特殊シナリオの演出を提示可能な態様について説明したが、ペンライト２００の操作に慣れない鑑賞者には、鑑賞中に発光色の切り替えを行うことが困難である可能性もある。従って、例えば小型舞台装置１００とペンライト２００との間で情報の送受信が可能な通信方式を採用し、発光部２２０の発光色は、小型舞台装置１００において提示されている照明による演出でのライト１４０の発光色に応じて小型舞台装置１００側から制御される構成としてもよい。このようにすることで、演出構成部１０７により構成された演出進行に合わせた、一体感のある鑑賞体験を提供できるものとしてもよい。
【００９６】
［実施形態３］
上述した実施形態及び変形例では、小型舞台装置１００が、楽曲ごとに、楽曲データや各種音声データ、及び発光パターンの情報を保持しているものとして説明したが、多様な種類のフィギュア４００に対応可能とすると、回路規模や製造コストの増大を招き得るものであった。即ち、上述した態様では、小型舞台装置１００が楽曲数や用意される特殊シナリオ数に応じたデータを格納可能な十分な容量の記録媒体１０２を有している必要があった。本実施形態では、小型舞台装置１００がこのような演出提示に必要となるデータ等を保持しているのではなく、ステージ１２０上に載置されたフィギュア４００、楽曲ライブパフォーマンスで再生される楽曲、あるいは提示する演出内容に応じて、外部の機器から取得して演出提示に用いる態様について説明する。
【００９７】
《演出提示システムの構成》
本実施形態の演出提示システムは、楽曲ライブパフォーマンスに係り提示する演出内容に基づいて必要なデータを受信可能なように、図１（ｃ）に示される、本発明に係る第１の操作入力装置としてのスマートフォン３００をさらに含む。スマートフォン３００は、不図示のサーバと接続可能に構成され、小型舞台装置１００における楽曲ライブパフォーマンスの提供に先立って、少なくともステージ１２０に載置されているフィギュア４００に係る演出提示に用いられうる各種データを受信可能であるものとする。従って、鑑賞者は、ステージ１２０上にフィギュア４００を載置する前に、例えばスマートフォン３００において専用アプリケーションを実行することによって、小型舞台装置１００とスマートフォン３００とを通信接続状態としておく必要がある。そして小型舞台装置１００においてフィギュア４００が載置されたことが検出されると、該情報がスマートフォン３００に伝送され、サーバからの情報取得が行われるものとする。
【００９８】
またこのような構成としたことで、小型舞台装置１００とスマートフォン３００とを通信接続させた使用される態様となるため、演出提示の構成に係るユーザインタフェースを拡張することも可能である。上述した実施形態や変形例では、楽曲ライブパフォーマンスの提供開始前に、鑑賞者からの操作入力の有無に依らずに演出構成部１０７が提示する演出内容を構成するものとして説明したが、本実施形態の演出提示システムでは小型舞台装置１００は、このように演出構成部１０７が操作入力に基づかずに後出された演出内容を提示するモード（オートモード）と、鑑賞者がスマートフォン３００においてなされた操作入力に基づいて構成された演出内容を提示するモード（カスタムモード）とを備えるものとして説明する。故に、本実施形態の演出提示システムでは、提示される演出に対しての鑑賞者の介入は、ステージ１２０へのフィギュア４００の載置や、ペンライト２００を用いて操作入力を行うことに加え、スマートフォン３００を用いて操作入力を行うことによって可能となるものとして説明する。
【００９９】
スマートフォン３００は、小型舞台装置１００がカスタムモードに設定されている態様において、楽曲ライブパフォーマンスの提供開始前に、ステージ１２０上にフィギュア４００が載置されているキャラクタの情報を小型舞台装置１００から受信すると、該キャラクタに対応付けられた楽曲、及び提示可能な特殊シナリオの情報を、後述の表示部３１０に表示し、鑑賞者が所望する楽曲ライブパフォーマンスとなるよう、提示する演出内容（特に音声出力による演出の内容）を構成するユーザインタフェースを提供する。
【０１００】
なお、本実施形態の演出提示システムでは、小型舞台装置１００とペンライト２００との情報通信との干渉がなく、かつ、楽曲データ等の容量の大きい情報を、通信接続中の消費電力を抑えつつ短時間で安定的に送受信可能なよう、例えば近距離無線通信方式（BLE方式）での情報送受信が可能に構成されるものとする。しかしながら、ペンライト２００と同様に、小型舞台装置１００とスマートフォン３００との機器間通信は、他の通信方式によって代替可能であることは言うまでもない。また好適な操作性を担保すべく、本実施形態では第１の操作入力装置としてスマートフォン３００を採用するものとして説明するが、操作入力装置がこれに限定されるものではないことも理解されよう。
【０１０１】
〈小型舞台装置１００の構成〉
以下、本実施形態の小型舞台装置１００の機能構成について、図４のブロック図を参照して説明する。なお、本実施形態において小型舞台装置１００は、図４に示されるブロックのうちの、実線と破線で示されるブロックに加え、一点鎖線で示されるブロックを機能構成として有するものとして説明する。従って、本実施形態の小型舞台装置１００の機能構成の説明において、実施形態１及び２と同様の構成については説明を省略する。
【０１０２】
通信部１１０は、本実施形態ではさらに、スマートフォン３００との間で近距離無線通信での情報送受信が可能に構成されているものとする。
【０１０３】
モード設定部１１１は、小型舞台装置１００の動作モードを、オートモードとカスタムモードのいずれとするかを設定し、切り替える。切り替えは、例えば小型舞台装置１００またはスマートフォン３００における操作入力がなされたことに応じてなされるものであってよい。
【０１０４】
〈スマートフォン３００の構成〉
次に、スマートフォン２００の機能構成について、図８のブロック図を用いて説明する。なお、ペンライト２００が有する機能構成の説明において、小型舞台装置１００やペンライト２００と同様の機能を有する構成を峻別すべく、スマートフォン３００が有する該構成には「端末」の接頭文字を付して説明する。
【０１０５】
端末制御部３０１は、例えばＣＰＵであり、スマートフォン３００が有する各ブロックの動作を制御する。具体的には端末制御部３０１は、例えば端末記録媒体３０２に記録されている各ブロックの動作プログラムや、小型舞台装置１００での演出提示に係る専用アプリケーション（演出用アプリケーション）のプログラムを読み出し、端末メモリ３０３に展開して実行することにより各ブロックの動作を制御する。
【０１０６】
端末記録媒体３０２は、例えば不揮発性メモリやＨＤＤ等の恒久的にデータを保持可能な記録装置である。端末記録媒体３０２は、スマートフォン３００が有する各ブロックの動作プログラムに加え、各ブロックの動作において必要となるパラメータ等や、演出用アプリケーションのプログラム及び該アプリケーションで使用される各種のＧＵＩ等の情報を記録する。また本実施形態では端末記録媒体３０２は、キャラクタＤＢ１０５及び楽曲ＤＢ１０６で管理されている情報の少なくとも一部を、外部サーバから受信して格納し、利用可能に構成されているものとする。端末メモリ３０３は、例えば揮発性メモリ等の一時的なデータ記憶に使用される記憶装置である。端末メモリ３０３は、各ブロックの動作プログラムの展開領域としてだけでなく、各ブロックの動作において出力されたデータ等を一時的に記憶する格納領域としても用いられる。
【０１０７】
端末表示制御部３０４は、スマートフォン３００におけるユーザへの各種情報提示の制御を司る。本実施形態のスマートフォン３００では、ユーザへの各種情報提示の手段として、画像（ゲーム画面、メニュー画面等）表示を行う表示部３１０を有するものとして説明するが、情報提示の手段はこれらに限られるものではなく、音声、振動、照明、情報送信等、代替あるいは追加が可能であることは言うまでもない。
【０１０８】
端末表示制御部３０４は、例えばＧＰＵ等の描画装置を含み、表示部３１０に表示させる各種画面を生成する際には所定の描画処理を行う。具体的には端末表示制御部３０４は、演出用アプリケーションのプログラムが実行されている際には、ステージ１２０上にフィギュア４００が載置されているキャラクタに係る各種の情報を含むアプリケーション画面を生成し、表示部３１０の画面表示を所定の頻度で更新させることで各種の情報提示を行う。
【０１０９】
本実施形態では、スマートフォン３００は、表示部３１０はスマートフォン３００に内蔵され、一体型となって構成される、ＬＣＤ等の表示装置であるものとして説明するが、本発明の実施はこれに限られるものではない。即ち、表示部３１０は、スマートフォン３００の外部に着脱可能に接続された表示装置であってもよいことは言うまでもない。
【０１１０】
端末操作入力部３０５は、操作ボタンや表示部３１０の画面上になされたタッチ操作を検出するタッチパネル等のスマートフォン３００が有するユーザインタフェースである。端末操作入力部３０５は、ユーザにより操作入力がなされたことを検出すると、操作内容に対応する制御信号を端末制御部３０１に伝送する。
【０１１１】
端末通信部３０６は、スマートフォン３００が有する情報送受信用の通信インタフェースである。本実施形態ではスマートフォン３００は、小型舞台装置１００との直接的な近距離無線通信、及び不図示のネットワークを外部サーバとの通信を実現すべく、２種類の通信方式での通信が可能に構成される。
【０１１２】
《演出構成》
次に、本実施形態の演出提示システムにおいて行われる演出構成について詳細を説明する。
【０１１３】
上述したように、本実施形態の演出提示システムにおける演出構成は、小型舞台装置１００の動作モードが、オートモードとカスタムモードのいずれに設定されているかによって異なる。ここで、オートモードに係る演出は、上述した実施形態２と同様に、楽曲ライブパフォーマンスの提供開始前に、演出構成部１０７がステージ１２０上のフィギュア４００の載置態様に応じてセットリスト、音声演出リスト及び照明演出リストが構成されることにより全体的な演出内容が定まり、提供開始後にペンライト２００において所定の振動操作がなされた場合には、これらリストが更新されることで部分的に演出内容が変更され、提示制御部１０８によって提示されるものであるため、説明を省略する。
【０１１４】
小型舞台装置１００の動作モードがカスタムモードに設定されている場合、演出は、楽曲ライブパフォーマンスの提供開始前に、スマートフォン３００においてなされた操作入力に基づいて端末制御部３０１により構成されたセットリスト、音声演出リスト及び照明演出リストが小型舞台装置１００に送出されることによって、全体的な演出内容が小型舞台装置１００において定まり、提供開始後はオートモードと同様に、これらリストが更新されることで部分的に演出内容が変更され、提示制御部１０８によって提示される。即ち、カスタムモードにおいては、楽曲ライブパフォーマンスに含まれ得る演出内容は、ステージ１２０に載置されているフィギュア４００に応じて限定されるが、全体的な演出内容の詳細を示すセットリスト、音声演出リスト及び照明演出リストは、スマートフォン３００における操作入力に基づいて構成される。
【０１１５】
例えば、スマートフォン３００において演出用アプリケーションが実行され、小型舞台装置１００とスマートフォン３００との通信接続が確立されている状態において、ステージ１２０上にフィギュア４００が載置されたことが検出されると、端末表示制御部３０４は、該検出された情報に基づいて、該フィギュアに対応付けられたキャラクタがグループに含められたことを表示部３１０を介して通知する。そして、端末表示制御部３０４は、該キャラクタに対応付けられた楽曲を楽曲ライブパフォーマンスで再生可能な楽曲のリストに追加して表示部３１０に表示させ、端末制御部３０１は、該楽曲リストの楽曲について、セットリストへの追加操作、及び追加した楽曲に設けられた各歌唱区間について歌唱担当とするキャラクタの選択を受け付け可能なように制御する。また端末表示制御部３０４は、セットリストに含められた楽曲について、発生させることが可能な特殊シナリオのリストも表示し、端末制御部３０１は、該特殊シナリオに係る演出の提示有無の選択操作を受け付け可能なように制御する。このようにすることで、スマートフォン３００において鑑賞者は所望の音声出力による演出を容易に構成することが可能となる。本実施形態では簡単のため、スマートフォン３００における鑑賞者の操作により、セットリスト及び音声演出リストが構成され、照明演出リストについては、セットリスト及び音声演出リストに基づいて、演出構成部１０７と同様に端末制御部３０１が構成するものとして説明するが、照明による演出についても、鑑賞者が構成可能としてもよい。
【０１１６】
また、本実施形態では小型舞台装置１００がオートモードにある場合には、演出構成部１０７がセットリスト、音声演出リスト及び照明演出リストを構成するものとして説明するが、スマートフォン３００において端末制御部３０１が鑑賞者の操作入力を要さずに、これらを構成してもよいことは言うまでもない。
【０１１７】
《演出提示》
また、本実施形態の演出提示システムでは、上述した通り、小型舞台装置１００において各種リストに応じて演出提示が開始されると、リストで定められた音声データや発光パターンの情報は、制御部１０１が通信部１１０を介して送信要求を行うことで、端末制御部３０１が該当のデータ等を端末記録媒体３０２から取得し、ストリーミング方式で小型舞台装置１００に返送され、提示制御部１０８はこれに基づいて各種演出提示を行うものとする。
【０１１８】
このようにすることで、ステージ１２０に載置するフィギュア４００に応じたコンテンツの各種情報を、スマートフォン３００が取得して小型舞台装置１００に提供すればよいため、小型舞台装置１００を種々のコンテンツについて汎用的に使用可能な装置として構成することができる。
【０１１９】
以上、実施形態１〜３と変形例１及び２として、本発明に係る演出提示システムの種々の態様について説明したが、これらの態様は如何様に組み合わされて、本発明の実施に用いられるものであってよい。例えば、演出提示システムは、小型舞台装置１００、スマートフォン３００、フィギュア４００のみで構成され、楽曲ライブパフォーマンスの提供開始後に動的に演出内容を変更しない態様としてもよい。
【０１２０】
［その他の実施形態］
本発明は上記実施の形態に制限されるものではなく、本発明の精神及び範囲から離脱することなく、様々な変更及び変形が可能である。また本発明に係る演出提示装置は、１以上のコンピュータを該演出提示装置として機能させるプログラムによっても実現可能である。該プログラムは、コンピュータが読み取り可能な記録媒体に記録されることにより、あるいは電気通信回線を通じて、提供／配布することができる。
【符号の説明】
【０１２１】
１００：小型舞台装置、１０１：制御部、１０２：記録媒体、１０３：メモリ、１０４：取得部、１０５：キャラクタＤＢ、１０６：楽曲ＤＢ、１０７：演出構成部、１０８：提示制御部、１０９：操作入力部、１５０：リーダ、１１０：通信部、１１１：モード設定部、１２０：ステージ、１３０：スピーカ、１４０：ライト、２００：ペンライト、２０１：ライト制御部、２０２：ライト記録媒体、２０３：ライトメモリ、２０４：検出部、２０５：ライト操作入力部、２０６：発光制御部、２０７：ライト通信部、２１０：センサ、２２０：発光部、３００：スマートフォン、３０１：端末制御部、３０２：端末記録媒体、３０３：端末メモリ、３０４：端末表示制御部、３０５：端末操作入力部、３０６：端末通信部、３１０：表示部、４００：フィギュア、４１０：台座、４２０：フィギュア記録媒体
【図１】
2020058632.tif 000003
【図２】
2020058632.tif 000004
【図３】
2020058632.tif 000005
【図４】
2020058632.tif 000006
【図５】
2020058632.tif 000007
【図６】
2020058632.tif 000008
【図７】
2020058632.tif 000009
【図８】
2020058632.tif 000010
【図９】
2020058632.tif 000011
【手続補正書】
【提出日】平成30年10月12日(2018.10.12)
【手続補正１】
【補正対象書類名】明細書
【補正対象項目名】００２６
【補正方法】変更
【補正の内容】
【００２６】
また、本実施形態では照明による演出が提示されていることが認識されやすいよう、ライト１４０ｂはフィギュア４００を下部から照明するものとして説明するが、例えば、小型舞台装置１００を動作させる環境が、暗所、あるいはミストやスモーク等の光を散乱させる粒子が存在する環境である場合は、照明される対象はフィギュア４００である必要はない。この他、照明による演出において、ライト１４０（ａ及びｂを問わない）により照明される対象は、例えばミラーボールや反射パネル等、照射された光を反射や拡散する性質を有する部材であってもよい。
【手続補正２】
【補正対象書類名】図面
【補正対象項目名】図１
【補正方法】変更
【補正の内容】
【図１】
2020058632.tif 000012
【手続補正３】
【補正対象書類名】図面
【補正対象項目名】図２
【補正方法】変更
【補正の内容】
【図２】
2020058632.tif 000013
【手続補正４】
【補正対象書類名】図面
【補正対象項目名】図３
【補正方法】変更
【補正の内容】
【図３】
2020058632.tif 000014